(57)【要約】【課題】表示部を大きくすることなく、セキュリティ機器が動作した場合に、いくつのセキュリティ機器が異常信号を出力しているのかを容易に認識できるようにする。【解決手段】  複数のセキュリティ機器１１が接続され、そのセキュリティ機器からの信号を受信すると、表示部５にその信号に伴う表示を行う防災機器において、表示部に前記信号に伴う表示を行っている際、さらに別のセキュリティ機器から信号を受信した時、発光する表示灯２５を設けた。  特にセキュリティ機器が出力する信号の数をカウントするカウンタ回路２３と、そのカウンタ回路がカウントした信号の数に基づいて、表示灯２５を所定の周期で点滅させる発光制御回路２７とを設けた。【選択図】図２
2005251135.tif 000002
【特許請求の範囲】
【請求項１】
複数のセキュリティ機器が接続され、該セキュリティ機器からの信号を受信すると、表示部に該信号に伴う表示を行う防災機器において、
前記表示部に前記信号に伴う表示を行っている際、さらに別のセキュリティ機器から信号を受信した時、発光する表示灯を設けたことを特徴とする防災機器。
【請求項２】
前記表示灯を点滅させる発光期間と、前記表示灯を消灯させる消灯期間とによって、前記表示灯の発光制御を行い、前記発光期間中に前記別のセキュリティ機器からの信号の数だけ発光パルスを出力する発光制御回路を設けたことを特徴とする請求項１記載の防災機器。
【請求項３】
前記セキュリティ機器が出力する信号の数をカウントするカウンタ回路と、
該カウンタ回路がカウントした信号の数に基づいて、前記表示灯を所定の周期で点滅させる発光制御回路とを設けたことを特徴とする請求項１記載の防災機器。
【請求項４】
前記発光制御回路は、前記信号の数が所定数以上になると、前記表示灯を連続点灯させることを特徴とする請求項２又は請求項３のいずれかに記載の防災機器。
【発明の詳細な説明】
【技術分野】
【０００１】
本発明は防災機器、特に集合住宅の住戸に設置される住宅情報盤に関するものである。
【背景技術】
【０００２】
集合住宅であるマンションの各住戸には、防災機器としての住宅情報盤が設置されている。この住宅情報盤には、火災感知器や防犯センサなどの複数のセキュリティ機器が接続されている。そして、そのセキュリティ機器からの異常信号を受信すると、住宅情報盤の表示部に異常表示を行うと共に、スピーカから異常警報を行うように構成されている。
【０００３】
住宅情報盤の表示部としては、例えば特許文献１に記載のようなものがある。これは、図４に示すように、各種セキュリティ機器の絵文字を表示部に複数個設け、該当するセキュリティ機器から異常信号を受信すると、対応する絵文字部分を点灯させるものである。
【０００４】
また特許文献２のように、セキュリティ機器から異常信号が出力された際、カラーＬＣＤに、セキュリティ映像及び異常内容（発報内容）の文章を表示させるものもある。
【特許文献１】特開平５−２３３９７５号公報
【特許文献２】特開２０００−２１５３６８号公報
【発明の開示】
【発明が解決しようとする課題】
【０００５】
特許文献１の住宅情報盤の表示部では、全てのセキュリティ機器に対応する異常表示の絵文字表示部があるので、複数のセキュリティ機器が動作した場合、どの機器が異常発報しているのかがわかりやすい。しかし、表示部自体が大きくなる、又は一つの絵文字表示部が小さくなってしまうという問題がある。
【０００６】
また特許文献２の住宅情報盤の表示部では、一つのモニタ（カラーＬＣＤ）に、一つの異常内容を表示させるので、特許文献１に比べ、大きく異常表示ができ異常内容を認識しやすい。しかし、複数のセキュリティ機器が動作した場合に、どの機器が異常信号が出力しているのかがわかりにくという問題がある。
【０００７】
そこで、本発明は、表示部を大きくすることなく、セキュリティ機器が動作した場合に、いくつのセキュリティ機器が異常信号を出力しているのかを容易に認識できるようにすることを目的とする。
【課題を解決するための手段】
【０００８】
本発明は以上の課題を解決するためになされたもので、複数のセキュリティ機器が接続され、該セキュリティ機器からの信号を受信すると、表示部に該信号に伴う表示を行う防災機器において、前記表示部に前記信号に伴う表示を行っている際、さらに別のセキュリティ機器から信号を受信した時、発光する表示灯を設けたことを特徴とするものである。また、特にセキュリティ機器が出力する信号の数をカウントするカウンタ回路と、該カウンタ回路がカウントした信号の数に基づいて、前記表示灯を所定の周期で点滅させる発光制御回路とを設けたことを特徴とするものである。
【発明の効果】
【０００９】
本発明では、セキュリティ機器から異常信号が出力されると、その異常内容が表示部に表示される。その後、他の別のセキュリティ機器からの異常信号を受信すると、表示灯を点滅状態にさせる。このため住戸内の人は、表示部に表示されている以外にも、後続して別の異常が発生していることを認識することができる。
特に、表示灯の点滅は、異常信号の数に基づいて所定の周期で又は異常信号の数で点滅するので、いくつの異常が発生しているのを容易に知ることができる。
【発明を実施するための最良の形態】
【００１０】
実施形態１                                                              
図１は本発明の防災機器の一例である住宅情報盤の斜視図である。図において、１は住宅情報盤で、２はベース３と周壁を有するカバー４とからなる筐体である。カバー４の前面側中央部の上下方向には、上側から表示部５としてのＬＣＤからなるモニタ、警報部６としてのスピーカ及び通話釦２０が設けられる。また７は表示部５の両側に設けられた各種操作用のボタンで、８はセキュリティ機器の一つである非常用押しボタンである。
【００１１】
次に、図２に住宅情報盤１のブロック図を示す。住宅情報盤１には、複数のセキュリティ機器１１が接続される。セキュリティ機器としては、例えば火災感知器１２，ガス漏れ検知器１３，防犯センサ１４，ＣＯセンサ１５，コール部１６などが設けられ、これ以外も図示しないが，水漏れセンサやスプリンクラ消火設備の流水検知器、宅配ロッカーなどもセキュリティ機器となる。
【００１２】
セキュリティ機器１１は、火災やガス漏れなどの異常状態を検知すると、異常信号を住宅情報盤１に出力する。また宅配ロッカーの場合には、異常信号の代わりに着荷信号を住宅情報盤１に出力する。
【００１３】
住宅情報盤１は、前述したように、表示部５及び警報部６を備え、セキュリティ機器１１からの信号を受信すると、表示部５にその信号に伴う表示を行うと共に、警報部６で警報を行う。例えば、セキュリティ機器１１である火災感知器１２から異常信号である火災信号を受信すると、表示部５に火災発生を示す絵表示で異常表示を行い、また警報部６から音声などで火災が発生したことを警報する。１９は通話釦２０を有する通話部で、図示しないドアホンや集合玄関機などと接続され、それらと通話を行う部分である。なお、以上まで説明した部分は、従来の住宅情報盤が備えている公知の部分である。
【００１４】
２１は受信部で、図示しないインターフェースを介してセキュリティ機器１１が接続され、セキュリティ機器１１からの信号を受信する。２３はカウンタ回路で、受信部２１で受信した、セキュリティ機器１１が出力した信号の数をカウントする。
【００１５】
２５はＬＥＤからなる表示灯で、図１に示すように表示部５の上方に設けられる。表示灯２５は、セキュリティ機器１１からの信号を受信すると発光するもので、より具体的には、セキュリティ機器１１から２つ以上の信号を受信した際に発光するよう構成されている。即ち、既にセキュリティ機器１１から何らかの信号を受信して、その信号に伴う表示を表示部５に行っている際、さらに別のセキュリティ機器１１から信号（２報目以降の信号）を受信した時、表示灯２５は発光する。
【００１６】
２７は発光制御回路で、カウンタ回路２３がカウントした信号の数に基づいて、表示灯２５を所定の周期で点滅させる回路である。ここで図３を参照して、表示灯２５の点滅形態について説明する。図３は、表示部５で異常表示している以外に、更に異常信号が後続して１〜４つまで発生した時における表示灯の発光（点滅）形態を示したものである。上（ａ）から下（ｄ）に向かって、追加して発生した信号の数が順次１つづつ増えている。
【００１７】
図３に示すように、発光制御回路２７は、表示灯２５を点滅させる発光期間と、表示灯２５を消灯させる消灯期間とによって、表示灯２５の点滅発光制御を行っている。そして、発光期間中には、（別の）セキュリティ機器１１から後続して発生した信号の数だけ発光パルスを出力し、信号の数が少ない程、発光パルスのパルス幅は長く、ゆっくりと点滅しているように見える。逆に、後続して発生した信号の数が多く、３つの場合（図３（ｃ））には、幅の短い発光パルスを短い間隔で出力し、素早く表示灯２５を点滅させている。また発光期間と消灯期間は、ほぼ同じ期間となっており、消灯期間が終われば、また発光期間となるようになっている。このような消灯期間を比較的長くとることで、発光パルスの数を確認しやすくなる。
【００１８】
なお、点滅形態は、表示灯２５の点滅形態から発生している信号の数が容易に認識できるのであれば、その点滅周期や発光パルス幅を信号の数に基づいて、適宜設定することができる。またセキュリティ機器１１から後続して発生した信号の数が所定数、例えば４つ以上の場合には、図３（ｄ）に示すように、表示灯２５を連続点灯させる。
【００１９】
図２のブロック図で示した各構成要素である表示部５〜発光制御回路２７までは、ＭＰＵ（マイクロプロセッサ）などで構成される制御部２９によって制御される。
【００２０】
次に、この住宅情報盤１の動作について説明する。例えば住戸内でガス漏れが発生すると、セキュリティ機器１１であるガス漏れ検知器１３が異常信号としてのガス漏れ信号を住宅情報盤１に出力する。住宅情報盤１は、セキュリティ機器１１から初めての信号（１報目の信号）を受信すると、セキュリティ機器１１からの信号に伴う表示、この場合は、「ガス漏れ発生を示す絵文字」を、まず表示部５に行う。と同時に、警報部６からガス漏れが発生したことを示す警報を行う。
【００２１】
この表示部５に表示を行っている際、つまり何らかの異常が既に発生している際に、さらに別のセキュリティ機器１１からの信号（２報目以降の信号）を受信して、表示灯２５を発光させる場合について説明する。
【００２２】
住戸内でガス漏れに続いて、ＣＯセンサ１５が動作して住戸内の換気の必要性が生じると、住宅情報盤１は、異常信号である換気信号を受信部２１で受信する。カウンタ回路２３は、先程のガス漏れ信号でまず起動して、ガス漏れ信号に続いて発生する後続の異常信号の数をカウントする。この場合には、換気信号の発生に伴い、異常信号の数「１」をカウントする。
【００２３】
発光制御回路２７は、カウンタ回路がカウントした異常信号の数「１」に基づき、表示灯２５を図３（ａ）に示した所定の周期、例えば０．５秒周期で表示灯２５を点滅させる。仮に、ガス漏れ検知器１３、ＣＯセンサ１５に続いて他のセキュリティ機器１１であるコール部１６や防犯センサ１４も動作したら、カウンタ回路２３がカウントする異常信号の数は「３」となる。そうすると、発光制御回路２７は、表示灯２５を図３（ｃ）に示した所定の点滅周期、例えば１００ｍｓｅｃ周期で表示灯２５を３回点滅させた後、０．５秒ほどの消灯期間をおいて表示灯２５を消灯させ、その後、再度、１００ｍｓｅｃ周期で表示灯２５を３回点滅させるという発光周期を繰り返す。また異常信号の数が「２」ならば、図３（ｂ）の点滅周期で表示灯２５を点滅させる。この場合には、例えば１３３ｍｓｅｃで表示灯２５を２回点滅、消灯の動作を繰り返すことになる。
【００２４】
更に、続いてセキュリティ機器１１が動作し、異常信号の数が「４」以上になった場合には、発光制御回路２７は表示灯２５の点滅制御をやめて、表示灯２５を図３（ｄ）に示すように、連続点灯させる。
【００２５】
このように、本実施形態においては、表示部５に異常表示を行っている際、さらに別のセキュリティ機器１１から異常信号を受信した時、表示灯２５を発光させるので、住戸の人は、モニタ（表示部）５に表示されている異常以外にも、何らかの異常が発生していることを知ることができる。特に、発光制御回路２７は、発光期間中に異常信号の数だけ発光パルスを出力して表示灯２５を点滅させているので、住戸の人は、表示灯２５の点滅回数を数えることで、いくつのセキュリティ機器１１が動作して、いくつの異常事態が生じているのかを認識することができる。
【００２６】
ところで、表示部５には、一番初めの異常信号に関する異常表示がずっと行われている。このため、表示灯２５の点滅により、複数の異常が発生していることを認識した住戸の人は、操作用のボタン７を操作することにより、表示部５に表示されている異常の他にどんな異常が発生しているかを確認できる。例えば、複数の異常事態が発生している時に、操作用のボタン７を押すと、表示部５につぎつぎとその異常内容を頁をめくるようにして表示させることができるように、住宅情報盤１を構成してもよい。
【００２７】
なお、後述の実施形態２のように異常信号に優先順位をつけた場合には、表示部５への異常警報表示は優先順位の高いものから行われるので、異常が複数発生している場合には、表示部５には常に「火災」などの優先度の高い異常が優先的に表示されることになる。
【００２８】
なお、宅配ロッカーから着荷信号を受信した場合には、まず表示部５に着荷を示す絵表示を行い、所定時間経過しても、住戸の人による操作がなければ、表示部５の消費電力を考慮して表示部５は消灯させる。そしてその代わりに、表示灯２５を連続点灯させることで、表示灯を従来の着荷灯に利用するようにしてもよい。
実施形態２                                                              
次に第２の実施形態について説明する。実施形態１では、まず異常信号が発生したら表示部に絵による異常表示を行い、その後、更に別の異常信号が発生したら表示灯を点滅させて、後続して別の異常が発生していることを示した。この実施形態２では、異常、つまり警報の種類に応じて優先順位をつけて、その優先順位に応じて表示部の表示の変更の仕方をかえると共に、異常信号の数のカウントの仕方も変更するものである。
【００２９】
まず、異常信号の優先順位について説明する。「火災」や「ガス漏れ」といった異常は、「防犯」や「水漏れ」に比べて明らかに重大であり、早期に警報しなければならない事態である。そこで各種の異常状態に優先順位をつけ、次のように５つに優先分けする。
【００３０】
最優先（第１優先）の異常：火災感知器１２による「火災」、ガス漏れ検知器１３による「ガス漏れ」。以下優先順位を下げていくに従って、第２優先、第３優先と説明していく。第２優先：非常用押しボタンによる「非常」。第３優先：防犯センサ１４による「防犯」。第４優先：コール部１６による「コール（バスコール、トイレコールを含む）」、ＣＯセンサ１５による「換気」、水漏れ検知器による「水漏れ」。第５優先：火災感知器１２による「感知器故障」、ガス漏れ検知器１３による「検知器故障」。
【００３１】
制御部２９は、同じ優先順位の異常が複数発生した場合には、その異常信号に伴う表示を表示部５へ交互に切り換えて表示する。例えば「火災」と「ガス漏れ」が同時に発生した場合には、表示部５に「火災発生」をあらわす絵を表示すると共に音声で火災の発生を警報する。この音声による火災警報が１サイクルすんだら、表示部５の絵を「ガス漏れ発生」をあらわす絵に切り換えると共に、音声でガス漏れの発生を警報する。この音声によるガス漏れ警報が１サイクルすんだら、火災警報に戻り、火災とガスの警報を交互に繰り返す。
【００３２】
このように表示部５に交互に警報を表示すれば、使用者は２つの異常が発生していることを認識できるので、あえて表示灯２５を点滅させる必要はなくなる。そこで、同じ優先順位の異常が複数発生した場合には、カウント回路２３によるカウント動作を停止させるようにしてもよい。
【００３３】
なお、異常信号に優先順位をつけた場合には、制御部２９は表示部５への異常警報表示を優先順位の高いものから行うように制御する。例えば優先度の低い「感知器故障」が発生した後、ガス漏れ検知器１３による「ガス漏れ」が発生した場合には、まず表示部５に「感知器故障」に伴う異常表示を行い、その後、ガス漏れが発生すると、その感知器故障の表示を消去して、「ガス漏れ」の異常表示を行う。この場合には、異なる優先順位で複数の異常が発生しているので、カウンタ回路２３は異常信号の数「１」をカウントし表示灯２５を点滅させる。
【００３４】
本実施形態においては、住宅情報盤を例にして説明したが、火災受信機や防災盤などの他の防災機器に本発明を適用するようにしてもよい。
【図面の簡単な説明】
【００３５】
【図１】本発明の住宅情報盤の斜視図である。
【図２】住宅情報盤のブロック図である。
【図３】表示灯の点滅パターンを示した図面である。
【図４】従来の住宅情報盤の正面図である。
【符号の説明】
【００３６】
１  住宅情報盤、  ２  筐体、  ３  ベース、  ４  カバー、  ５  表示部、
６  警報部、  ７  操作用ボタン、  ８  非常押しボタン、
１１  セキュリティ機器、  １２  火災感知器、  １３  ガス漏れ警報器、
１４  防犯センサ、  １５  ＣＯセンサ、  １６  コール部、  １９  通話部、２１  受信部、  ２３  カウンタ回路、  ２５  表示灯、  ２７  発光制御回路、２９  制御部、tt
【図１】
2005251135.tif 000003
【図２】
2005251135.tif 000004
【図３】
2005251135.tif 000005
【図４】
2005251135.tif 000006